(57)【要約】【課題】コンデンサから大きな発熱があるとコンデンサを含む電気回路を遮断する遮断機構を小型化する。【解決手段】放電灯点灯装置１１の電源回路１３にて、整流器１８は、商用電源１５の交流電圧を整流して脈流電圧を得る。電解コンデンサ１９ａは、整流器１８で得られた脈流電圧を平滑して直流電圧に変換する。放電灯点灯装置１１の放電灯点灯回路１４は、電解コンデンサ１９ａで得られた直流電圧を高周波電圧に変換し、当該高周波電圧で放電灯２０を点灯させる。電源回路１３には遮断機構１７が設けられている。遮断機構１７は、電解コンデンサ１９ａの温度を感知する感温素子１７ａを有する。感温素子１７ａは、電解コンデンサ１９ａとプリント基板との間で電解コンデンサ１９ａに当接するように配置される。遮断機構１７は、感温素子１７ａにより一定以上の温度が感知されると電源回路１３を遮断する。【選択図】図２
2011003311.tif 000002
【特許請求の範囲】
【請求項１】
交流電圧を整流して脈流電圧を得る整流器と、前記整流器により得られた脈流電圧を平滑して直流電圧に変換するコンデンサとを有する電源回路と、
前記電源回路が実装された基板と、
前記コンデンサと前記基板との間で前記コンデンサに当接するように配置され前記コンデンサの温度を感知する感温素子を有し、前記感温素子により一定以上の温度が感知されると、前記電源回路を遮断する遮断機構とを備えることを特徴とする電源装置。
【請求項２】
前記コンデンサは、一端からプラス極性側のリード及びマイナス極性側のリードが引き出され、両リードが引き出された面が前記基板の実装面と対向するように前記基板に実装され、
前記感温素子は、一端からリードが引き出され、当該リードが前記コンデンサのプラス極性側のリードより前記コンデンサのマイナス極性側のリードに近くなるように配置されることを特徴とする請求項１に記載の電源装置。
【請求項３】
前記コンデンサは、一端からリードが引き出され、当該リードが引き出された面が前記基板の実装面と略垂直になるように前記基板に実装され、
前記感温素子は、一端からリードが引き出され、当該リードが前記コンデンサのリードが引き出された端より前記コンデンサの逆側の端に近くなるように配置されることを特徴とする請求項１に記載の電源装置。
【請求項４】
前記電源回路は、前記コンデンサを複数並列に接続し、
前記感温素子は、前記電源回路にて並列に接続された複数のコンデンサのうち、任意のコンデンサと前記基板との間で当該コンデンサに当接するように配置されることを特徴とする請求項１から３までのいずれかに記載の電源装置。
【請求項５】
前記感温素子は、前記電源回路にて並列に接続された複数のコンデンサのうち、最小容量のコンデンサと前記基板との間で当該コンデンサに当接するように配置されることを特徴とする請求項４に記載の電源装置。
【請求項６】
前記感温素子は、前記電源回路にて前記コンデンサのマイナス極性側の端子と前記整流器のマイナス極性側の端子との間に接続され、一定以上の温度を感知すると、開放して前記電源回路を遮断することを特徴とする請求項１から５までのいずれかに記載の電源装置。
【請求項７】
前記遮断機構は、さらに、前記電源回路にて前記コンデンサと並列に接続され開閉状態が切り替えられるスイッチと、前記電源回路にて一定以上の電流が流れると切断するヒューズとを有し、
前記感温素子は、前記電源回路にて前記スイッチの開閉状態を切り替える端子に接続され、一定以上の温度を感知すると、前記スイッチを閉状態に切り替えて前記電源回路の短絡を引き起こすことにより、前記ヒューズを切断して前記電源回路を遮断することを特徴とする請求項１から５までのいずれかに記載の電源装置。
【請求項８】
前記遮断機構は、さらに、前記電源回路にて一定以上の電流が流れると切断するヒューズとを有し、
前記感温素子は、前記電源回路にて前記コンデンサと並列に接続され、一定以上の温度を感知すると、短絡することにより前記ヒューズを切断して前記電源回路を遮断することを特徴とする請求項１から５までのいずれかに記載の電源装置。
【請求項９】
請求項１から５までのいずれかに記載の電源装置と、
前記電源装置により得られる直流電圧を、接続されるランプに対応する電圧に変換して前記ランプを点灯させる点灯回路とを備え、
前記電源装置の遮断機構は、さらに、前記点灯回路により前記ランプに供給される電力を調整する調整回路と、前記コンデンサのリップル電圧を検出するリップル電圧検出回路とを有し、
前記感温素子は、前記調整回路に接続され、一定以上の温度を感知すると、前記調整回路により前記ランプに供給する電力を増加させて前記ランプの負荷を上昇させることにより前記コンデンサのリップル電圧を上昇させ、
前記リップル電圧検出回路は、一定以上のリップル電圧を検出すると、前記点灯回路により前記ランプを点滅させて前記ランプの負荷を低減させることにより、前記コンデンサの温度を低下させながら前記コンデンサに寿命を全うさせて前記電源回路を遮断することを特徴とする点灯装置。
【請求項１０】
請求項１から５までのいずれかに記載の電源装置と、
前記電源装置により得られる直流電圧を高周波電圧に変換し、当該高周波電圧で放電灯を点灯させる放電灯点灯回路とを備え、
前記電源装置の遮断機構は、さらに、前記放電灯点灯回路により前記放電灯が点灯される点灯周波数を設定する点灯周波数設定回路と、前記コンデンサのリップル電圧を検出するリップル電圧検出回路とを有し、
前記感温素子は、前記点灯周波数設定回路に接続され、一定以上の温度を感知すると、前記点灯周波数設定回路により前記点灯周波数を共振がより強い周波数に移行させて前記放電灯の負荷を上昇させることにより前記コンデンサのリップル電圧を上昇させ、
前記リップル電圧検出回路は、一定以上のリップル電圧を検出すると、前記放電灯点灯回路により前記放電灯を点滅させて前記放電灯の負荷を低減させることにより、前記コンデンサの温度を低下させながら前記コンデンサに寿命を全うさせて前記電源回路を遮断することを特徴とする放電灯点灯装置。
【請求項１１】
請求項１から５までのいずれかに記載の電源装置と、前記電源装置により得られる直流電圧を、接続されるランプに対応する電圧に変換して前記ランプを点灯させる点灯回路とを備える点灯装置と、
前記点灯装置に接続され、前記ランプが取り付けられるランプソケットとを備えることを特徴とする照明器具。
【発明の詳細な説明】
【技術分野】
【０００１】
本発明は、電源装置及び点灯装置及び照明器具に関するものである。本発明は、特に、電解コンデンサの発熱による温度感知構造に関するものである。
【背景技術】
【０００２】
部品の劣化や何らかの異常事態の発生により電解コンデンサに最大定格以上の電圧が印加されたとき、又は、電解コンデンサ自体の寿命末期には、電解コンデンサ内部の温度が上昇し、圧力が増大するので、電解コンデンサが破裂するおそれがある。そのため、電解コンデンサには安全防爆弁が設けられており、電解コンデンサ内部の圧力が増大すると、この安全防爆弁が開き、電解液を蒸気として外部に放出することで、電解コンデンサが破裂するのを防止する。
【０００３】
例えば、放電灯点灯装置を内蔵する照明器具において、放電灯点灯装置に実装された電解コンデンサに上記のような現象が発生すると、照明器具から蒸気として電解液が噴出することになる。電解液は、一般的にエチレングリコール及び水で構成され、人体に危険が及ぶものではないが、照明器具から蒸気として噴出されると、照明器具から発火及び発煙しているように見え、ユーザの混乱を招くおそれがある。そのため、対策の１つとして、照明器具の筐体で完全に放電灯点灯装置を覆い、電解コンデンサから蒸気が放出されても照明器具の外部に漏れないようにすることが考えられる。しかしながら、このような対策を講じるには、照明器具の設計の自由度を制限せざるを得ないため、放電灯点灯装置そのもので何らかの対策を講じることが求められる。
【０００４】
従来、電解コンデンサを樹脂製のキャップで覆う構造を採用したものがある（例えば、特許文献１参照）。この構造において、樹脂製のキャップ内部には感温素子が設置されている。この感温素子は、電解コンデンサの寿命末期に発生する熱を検出し、その検出信号を外部に伝えて、電解コンデンサの電気回路を遮断する。
【先行技術文献】
【特許文献】
【０００５】
【特許文献１】特開平４−２３３２１４号公報
【発明の概要】
【発明が解決しようとする課題】
【０００６】
一般的に放電灯点灯装置はできるだけ小型化することが求められている。しかしながら、従来技術では、電解コンデンサを樹脂製のキャップで覆う構造を採用しているため、少なくとも電解コンデンサを実装する部分が大型化してしまうという課題があった。また、生産の際、電解コンデンサに樹脂製のキャップを装着する余分な工程が増え、加工費の増加につながるという課題があった。さらに、感温素子の検出信号を外部に伝えるための電子回路部品の追加により直材費が増加するという課題があった。また、感温素子で電解コンデンサの発熱を検出してから外部で電解コンデンサの電気回路を遮断するまでに時差が発生する可能性があるという課題があった。
【０００７】
本発明は、例えば、コンデンサから大きな発熱があるとコンデンサを含む電気回路を遮断する遮断機構を小型化することを目的とする。また、本発明は、例えば、遮断機構により当該電気回路を迅速に遮断することを目的とする。
【課題を解決するための手段】
【０００８】
本発明の一の態様に係る電源装置は、
交流電圧を整流して脈流電圧を得る整流器と、前記整流器により得られた脈流電圧を平滑して直流電圧に変換するコンデンサとを有する電源回路と、
前記電源回路が実装された基板と、
前記コンデンサと前記基板との間で前記コンデンサに当接するように配置され前記コンデンサの温度を感知する感温素子を有し、前記感温素子により一定以上の温度が感知されると、前記電源回路を遮断する遮断機構とを備えることを特徴とする。
【発明の効果】
【０００９】
本発明の一の態様によれば、電源装置において、遮断機構が、電源回路上のコンデンサと電源回路が実装された基板との間でコンデンサに当接するように配置されコンデンサの温度を感知する感温素子を有し、感温素子により一定以上の温度が感知されると、電源回路を遮断するため、遮断機構を小型化することが可能となる。
【図面の簡単な説明】
【００１０】
【図１】実施の形態１に係る照明器具の構成を示すブロック図である。
【図２】実施の形態１に係る点灯装置の構成を示す回路図である。
【図３】実施の形態１に係るコンデンサの実装形態の例を示す図である。
【図４】実施の形態１に係る感温素子の実装形態の例を示す図である。
【図５】実施の形態２に係る点灯装置の構成を示す回路図である。
【図６】実施の形態３に係る点灯装置の構成を示す回路図である。
【図７】実施の形態４に係る点灯装置の構成を示す回路図である。
【図８】実施の形態５に係る点灯装置の構成を示す回路図である。
【発明を実施するための形態】
【００１１】
以下、本発明の実施の形態について、図を用いて説明する。
【００１２】
実施の形態１．
図１は、本実施の形態に係る照明器具１０の構成を示すブロック図である。
【００１３】
図１において、照明器具１０は、放電灯点灯装置１１（点灯装置）、ランプソケット１２を備える。ランプソケット１２は、放電灯点灯装置１１に接続され、放電灯点灯装置１１によって点灯制御及び調光制御されるランプを着脱可能である。
【００１４】
放電灯点灯装置１１は、電源回路１３、放電灯点灯回路１４（点灯回路）、及び、これらが実装されたプリント基板（基板）を備える。電源回路１３は、外部の商用電源１５とつながる電力線１６に接続され、商用電源１５の交流電圧を整流平滑して直流電圧を出力する。放電灯点灯回路１４は、電源回路１３から出力される直流電圧を高周波電圧に変換し、ランプソケット１２に取り付けられるランプを当該高周波電圧で点灯させる。
【００１５】
図２は、放電灯点灯装置１１の構成を示す回路図である。
【００１６】
図２において、電源回路１３には、遮断機構１７が設けられている。また、電源回路１３は、整流器１８（電源整流回路）、直流電圧回路１９を有する。なお、放電灯点灯装置１１の構成要素のうち、主に電源回路１３、遮断機構１７、及び、これらが実装されたプリント基板からなる部分を電源装置というものとする。即ち、電源装置は、電源回路１３、遮断機構１７、及び、これらが実装されたプリント基板を備える。
【００１７】
整流器１８は、商用電源１５の交流電圧を全波整流して脈流電圧を得る。直流電圧回路１９は、整流器１８により得られた脈流電圧を平滑して直流電圧に変換する電解コンデンサ１９ａ（コンデンサ）を有する。
【００１８】
放電灯点灯回路１４は、電解コンデンサ１９ａにより得られる直流電圧を高周波電圧に変換し、図１に示したランプソケット１２に取り付けられる放電灯２０（図１に示したランプ）を当該高周波電圧で点灯させる。
【００１９】
遮断機構１７は、電解コンデンサ１９ａの温度を感知する感温素子１７ａを有する。遮断機構１７は、感温素子１７ａにより一定以上の温度が感知されると、電源回路１３を遮断する。本実施の形態では、感温素子１７ａは、電源回路１３にて電解コンデンサ１９ａのマイナス極性側の端子と整流器１８のマイナス極性側の端子との間に接続される。感温素子１７ａは、温度ヒューズ等であり、一定以上の温度を感知すると開放する。これにより、電源回路１３が遮断される。
【００２０】
このように、本実施の形態では、感温素子１７ａは回路上、ＧＮＤ及び電解コンデンサ１９ａと整流器１８との間に配置する。感温素子１７ａとしては、温度ヒューズのように、ある温度を感知することで開放される特徴を持つものを使用する。この感温素子１７ａが電解コンデンサ１９ａの異常発熱を検知し、開放されることで、放電灯点灯装置１１の回路を安全に遮断することが可能となる。即ち、感温素子１７ａが確実に回路を遮断できる回路上の配置方法による対策がとれる。また、本実施の形態によれば、感温素子１７ａで電解コンデンサ１９ａの発熱を検出してから電解コンデンサ１９ａを含む電気回路を遮断するまでにほとんど時差が発生しないため、遮断機構１７により当該電気回路を迅速に遮断することができる。
【００２１】
図３は、電解コンデンサ１９ａの実装形態の例を示す図である。
【００２２】
図３（ａ）に示すように、電解コンデンサ１９ａは、長手方向（電解コンデンサ１９ａが円柱状の場合、その軸方向）がプリント基板２１の実装面に対して略垂直になるようにプリント基板２１上に実装することができる。あるいは、図３（ｂ）に示すように、電解コンデンサ１９ａは、長手方向（電解コンデンサ１９ａが円柱状の場合、その軸方向）がプリント基板２１の実装面に対して略平行になるようにプリント基板２１上に実装することができる。
【００２３】
図４は、感温素子１７ａの実装形態の例を示す図である。
【００２４】
図４（ａ）及び（ｂ）において、感温素子１７ａは、電解コンデンサ１９ａとプリント基板２１との間で電解コンデンサ１９ａに当接するように配置され、電解コンデンサ１９ａの温度を感知する。感温素子１７ａ、電解コンデンサ１９ａ、プリント基板２１等を備える電源装置（及び電源装置を備える放電灯点灯装置１１）は、照明器具１０のケース上部１０ａ及びケース下部１０ｂによって覆われている。
【００２５】
図４（ａ）の例は、図３（ａ）に示した例に対応する。図４（ａ）の例において、電解コンデンサ１９ａの一端からは、プラス極性側のリード１９ｂ及びマイナス極性側のリード１９ｃが引き出されている。電解コンデンサ１９ａは、両リード１９ｂ，ｃが引き出された面（図中では電解コンデンサ１９ａの下面）がプリント基板２１の実装面（図中ではプリント基板２１の上面）と対向するようにプリント基板２１に実装されている。感温素子１７ａの一端からは、プラス極性側及びマイナス極性側のリード１７ｂ，ｃが引き出されている。感温素子１７ａは、両リード１７ｂ，ｃが電解コンデンサ１９ａのプラス極性側のリード１９ｂより電解コンデンサ１９ａのマイナス極性側のリード１９ｃに近くなるように配置されている。
【００２６】
このように、本実施の形態では、簡易的に電解コンデンサ１９ａの異常を検知できる感温素子１７ａの配置構造が実現できる。具体的には、電解コンデンサ１９ａがプリント基板２１の長手方向に対して、垂直方向に実装され、感温素子１７ａが電解コンデンサ１９ａのＧＮＤ（接地）側（即ち、マイナス極性側）かつ電解コンデンサ１９ａの下部とプリント基板２１に挟み込まれるように配置されることで、キャップ等の付属部品なしで電解コンデンサ１９ａと感温素子１７ａを密着させ固定することができる。即ち、本実施の形態によれば、電解コンデンサ１９ａから大きな発熱があると電解コンデンサ１９ａを含む電気回路を遮断する遮断機構１７を小型化することができる。また、感温素子１７ａが所定温度を検知して回路を遮断させられるように、回路上のＧＮＤに感温素子１７ａが配置される。つまり、感温素子１７ａのリード１７ｂ，ｃが電解コンデンサ１９ａのＧＮＤ側（即ち、マイナス極性側）からプリント基板２１に接続される。これによって、プリント基板２１のパターンを効率のよいスペースで引くことが可能となる。また、電解コンデンサ１９ａのプラス側のような、回路上高圧になる箇所から離れた位置に感温素子１７ａを配置することで、絶縁距離を確保することが容易な配置になり、電源装置（及び電源装置を備える放電灯点灯装置１１）が安全で、品質上優れた構造となる。
【００２７】
図４（ｂ）の例は、図３（ｂ）に示した例に対応する。図４（ｂ）の例において、電解コンデンサ１９ａの一端からは、プラス極性側及びマイナス極性側のリード１９ｂ，ｃが引き出されている。電解コンデンサ１９ａは、両リード１９ｂ，ｃが引き出された面（図中では電解コンデンサ１９ａの側面）がプリント基板２１の実装面（図中ではプリント基板２１の上面）と略垂直になるようにプリント基板２１に実装されている。感温素子１７ａの一端からは、プラス極性側及びマイナス極性側のリード１７ｂ，ｃが引き出されている。感温素子１７ａは、両リード１７ｂ，ｃが電解コンデンサ１９ａのリード１９ｂ，ｃが引き出された端より電解コンデンサ１９ａの逆側（安全防爆弁１９ｄがある側）の端に近くなるように配置されている。
【００２８】
このように、本実施の形態では、簡易的に電解コンデンサ１９ａの異常を検知できる感温素子１７ａの配置構造が実現できる。具体的には、電解コンデンサ１９ａがプリント基板２１の長手方向に対して、水平方向に実装され、感温素子１７ａが電解コンデンサ１９ａの下部とプリント基板２１に挟み込まれるように配置されることで、図４（ａ）の例と同様に、キャップ等の付属部品なしで電解コンデンサ１９ａと感温素子１７ａを密着させ固定することができる。即ち、本実施の形態によれば、電解コンデンサ１９ａから大きな発熱があると電解コンデンサ１９ａを含む電気回路を遮断する遮断機構１７を小型化することができる。また、感温素子１７ａのリード１７ｂ，ｃが電解コンデンサ１９ａのリード１９ｂ，ｃと逆側からプリント基板２１に接続されることで、図４（ａ）の例と同様に、プリント基板２１のパターンを効率のよいスペースで引くことが可能となる。また、電解コンデンサ１９ａのプラス側のような、回路上高圧になる箇所から離れた位置に感温素子１７ａを配置することで、絶縁距離を確保することが容易な配置になり、電源装置（及び電源装置を備える放電灯点灯装置１１）が安全で、品質上優れた構造となる。
【００２９】
本実施の形態では、商用電源１５を全波整流して得られる脈流電圧を電解コンデンサ１９ａにより平滑して直流電圧を得る直流電圧回路１９を有する放電灯点灯装置１１において、放電灯点灯装置１１のプリント基板２１に実装される電解コンデンサ１９ａは、図３のように配置される。部品の劣化や何らかの異常事態の発生により電解コンデンサ１９ａに最大定格以上の電圧が印加されたとき、又は、電解コンデンサ１９ａ自体の寿命末期には、電解コンデンサ１９ａ内部の温度が上昇するが、この場合、本実施の形態では、図４のように電解コンデンサ１９ａの下部に密着させて配置されている感温素子１７ａが動作し、放電灯点灯装置１１の回路を安全に遮断することが可能となる。
【００３０】
なお、本実施の形態では放電灯２０を用いるものとしたが、放電灯２０に代えて、白熱電球やＬＥＤ等の他のランプを用いても構わない。この場合、放電灯点灯回路１４に代えて、電源回路１３から出力される直流電圧を、接続されるランプに対応する電圧に変換して当該ランプを点灯させる点灯回路が用いられる。
【００３１】
実施の形態２．
本実施の形態について、主に実施の形態１との差異を説明する。
【００３２】
図５は、本実施の形態に係る放電灯点灯装置１１の構成を示す回路図である。
【００３３】
図５において、遮断機構１７は、感温素子１７ａのほかに、スイッチング素子１７ｄ（スイッチ）、ヒューズ１７ｅを有する。スイッチング素子１７ｄは、電源回路１３にて電解コンデンサ１９ａと並列に接続され、開閉状態を切り替え可能である。ヒューズ１７ｅは、電源回路１３にて一定以上の電流が流れると切断する。本実施の形態では、感温素子１７ａは、電源回路１３にてスイッチング素子１７ｄの開閉状態を切り替える端子に接続される。感温素子１７ａは、温度ヒューズ等であり、一定以上の温度を感知すると開放し、スイッチング素子１７ｄを閉状態に切り替えて電源回路１３の短絡を引き起こす。これにより、ヒューズ１７ｅに流れる電流量が増加してヒューズ１７ｅが切断するため、電源回路１３が遮断される。
【００３４】
このように、本実施の形態では、感温素子１７ａは回路上、スイッチング素子１７ｄとともに電解コンデンサ１９ａと並列に配置する。感温素子１７ａはスイッチング素子１７ｄのトリガ端子と直列に接続する。また、感温素子１７ａは開放によってスイッチング素子１７ｄがＯＮする側に接続する。感温素子１７ａとしては、実施の形態１と同様に、温度ヒューズのように、ある温度を感知することで開放される特徴を持つものを使用する。この感温素子１７ａが電解コンデンサ１９ａの異常発熱を検知し、開放されることで、スイッチング素子１７ｄにトリガ電圧が印加され、スイッチング素子１７ｄがＯＮされることで、電解コンデンサ１９ａの端子間が短絡される。電解コンデンサ１９ａの端子間が短絡されると、短絡電流が放電灯点灯装置１１の回路（電源回路１３）に流れ、入力部に配置されているヒューズ１７ｅが定格以上の短絡電流により断線し、放電灯点灯装置１１の回路を安全に遮断することが可能となる。即ち、感温素子１７ａが確実に回路を遮断できる回路上の配置方法による対策がとれる。また、本実施の形態によれば、感温素子１７ａで電解コンデンサ１９ａの発熱を検出してから電解コンデンサ１９ａを含む電気回路を遮断するまでにほとんど時差が発生しないため、遮断機構１７により当該電気回路を迅速に遮断することができる。
【００３５】
実施の形態３．
本実施の形態について、主に実施の形態１との差異を説明する。
【００３６】
図６は、本実施の形態に係る放電灯点灯装置１１の構成を示す回路図である。
【００３７】
図６において、遮断機構１７は、感温素子１７ａのほかに、ヒューズ１７ｅを有する。ヒューズ１７ｅは、電源回路１３にて一定以上の電流が流れると切断する。本実施の形態では、感温素子１７ａは、電源回路１３にて電解コンデンサ１９ａと並列に接続される。感温素子１７ａは、サーミスタ等であり、一定以上の温度を感知すると短絡する。これにより、ヒューズ１７ｅに流れる電流量が増加してヒューズ１７ｅが切断するため、電源回路１３が遮断される。
【００３８】
このように、本実施の形態では、感温素子１７ａは回路上、電解コンデンサ１９ａと並列に配置する。感温素子１７ａとしては、サーミスタのように、ある温度を感知することで短絡される特徴を持つものを使用する。この感温素子１７ａが電解コンデンサ１９ａの異常発熱を検知し、短絡されることで、短絡電流が放電灯点灯装置１１の回路（電源回路１３）に流れ、入力部に配置されているヒューズ１７ｅが定格以上の短絡電流により断線し、放電灯点灯装置１１の回路を安全に遮断することが可能となる。即ち、感温素子１７ａが確実に回路を遮断できる回路上の配置方法による対策がとれる。また、本実施の形態によれば、感温素子１７ａで電解コンデンサ１９ａの発熱を検出してから電解コンデンサ１９ａを含む電気回路を遮断するまでにほとんど時差が発生しないため、遮断機構１７により当該電気回路を迅速に遮断することができる。
【００３９】
実施の形態４．
本実施の形態について、主に実施の形態１との差異を説明する。
【００４０】
図７は、本実施の形態に係る放電灯点灯装置１１の構成を示す回路図である。
【００４１】
図７において、遮断機構１７は、感温素子１７ａのほかに、制御回路１７ｆを有する。制御回路１７ｆは、点灯周波数設定回路１７ｇ、リップル電圧検出回路１７ｈを具備する。点灯周波数設定回路１７ｇは、放電灯点灯回路１４により放電灯２０が点灯される点灯周波数を設定する。リップル電圧検出回路１７ｈは、電解コンデンサ１９ａのリップル電圧を検出する。本実施の形態では、感温素子１７ａは、点灯周波数設定回路１７ｇに接続される。感温素子１７ａは、温度ヒューズやサーミスタ等であり、一定以上の温度を感知すると、点灯周波数設定回路１７ｇにより点灯周波数を共振がより強い周波数に移行させて放電灯２０の負荷を上昇させる。これにより、電解コンデンサ１９ａのリップル電圧を上昇させる。リップル電圧検出回路１７ｈは、一定以上のリップル電圧を検出すると、放電灯点灯回路１４により放電灯２０を点滅させて放電灯２０の負荷を低減させることにより、電解コンデンサ１９ａの温度を低下させながら電解コンデンサ１９ａに寿命を全うさせる。これによって、電源回路１３が遮断される。
【００４２】
このように、本実施の形態では、感温素子１７ａは放電灯２０の点灯周波数を共振の強い周波数へと移行させる点灯周波数設定回路１７ｇに接続される。この点灯周波数設定回路１７ｇは、感温素子１７ａが短絡もしくは開放されると、放電灯２０の点灯周波数を移行させることが可能である。点灯周波数が共振の強い周波数へ移行することで、放電灯２０は過負荷となる。放電灯点灯装置１１の回路には、放電灯２０は過負荷による電解コンデンサ１９ａのリップル電圧増加分を検出して、放電灯２０を点滅させるリップル電圧検出回路１７ｈが具備される。このリップル電圧検出回路１７ｈが動作し、放電灯２０が点滅すると負荷が減少し、電解コンデンサ１９ａの温度も減少し（安全防爆弁１９ｄが開くのを回避できる）、最終的には放電灯２０が不点灯となり、放電灯点灯装置１１は安全に発振停止することが可能となる。
【００４３】
実施の形態１と同様に、本実施の形態でも放電灯２０を用いるものとしたが、放電灯２０に代えて、白熱電球やＬＥＤ等の他のランプを用いても構わない（他の実施の形態でも同様である）。この場合、放電灯点灯回路１４に代えて、電源回路１３から出力される直流電圧を、接続されるランプに対応する電圧に変換して当該ランプを点灯させる点灯回路が用いられる。さらに、本実施の形態では遮断機構１７の制御回路１７ｆが点灯周波数設定回路１７ｇを具備するものとしたが、点灯周波数設定回路１７ｇに代えて、点灯回路によりランプに供給される電力を調整する調整回路を具備しても構わない。この場合、感温素子１７ａは調整回路に接続され、一定以上の温度を感知すると、当該調整回路によりランプに供給する電力を増加させてランプの負荷を上昇させることにより電解コンデンサ１９ａのリップル電圧を上昇させる。リップル電圧検出回路１７ｈは、一定以上のリップル電圧を検出すると、点灯回路によりランプを点滅させてランプの負荷を低減させることにより、電解コンデンサ１９ａの温度を低下させながら電解コンデンサ１９ａに寿命を全うさせる。これによって、電源回路１３が遮断される。
【００４４】
実施の形態５．
本実施の形態について、主に実施の形態１との差異を説明する。
【００４５】
図８は、本実施の形態に係る放電灯点灯装置１１の構成を示す回路図である。
【００４６】
図８において、電源回路１３の直流電圧回路１９は、電解コンデンサ１９ａを２つ並列に接続したものとなっている。感温素子１７ａは、直流電圧回路１９にて並列に接続された２つの電解コンデンサ１９ａのうち、任意の電解コンデンサ１９ａとプリント基板２１との間で当該電解コンデンサ１９ａに当接するように配置される。本実施の形態では、感温素子１７ａは、２つの電解コンデンサ１９ａのうち、容量が小さい方の電解コンデンサ１９ａとプリント基板２１との間で当該電解コンデンサ１９ａに当接するように配置される。
【００４７】
このように、本実施の形態では、回路上、電解コンデンサ１９ａの必要な容量を小容量と大容量に分けて、大小２つの電解コンデンサ１９ａを並列にプリント基板２１に実装し、熱が伝わりやすい小容量（小体積）の電解コンデンサ１９ａに感温素子１７ａを密着させて配置することで、電解コンデンサ１９ａが１つしかない場合と比べて、電解コンデンサ１９ａの異常温度を迅速に検知することができる。そのため、より安全に発振停止もしくは回路を遮断することができる。
【００４８】
なお、本実施の形態では、電解コンデンサ１９ａを２つ並列に接続しているが、電解コンデンサ１９ａを３つ以上並列に接続し、感温素子１７ａを、任意の電解コンデンサ１９ａ（複数でもよい）とプリント基板２１との間で当該電解コンデンサ１９ａに当接するように配置しても構わない。このとき、感温素子１７ａは、熱が最も伝わりやすい最小容量（最小体積）の電解コンデンサ１９ａとプリント基板２１との間で当該電解コンデンサ１９ａに当接するように配置するのが望ましい。
【００４９】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００５０】
１０  照明器具、１０ａ  ケース上部、１０ｂ  ケース下部、１１  放電灯点灯装置、１２  ランプソケット、１３  電源回路、１４  放電灯点灯回路、１５  商用電源、１６  電力線、１７  遮断機構、１７ａ  感温素子、１７ｂ，ｃ  リード、１７ｄ  スイッチング素子、１７ｅ  ヒューズ、１７ｆ  制御回路、１７ｇ  点灯周波数設定回路、１７ｈ  リップル電圧検出回路、１８  整流器、１９  直流電圧回路、１９ａ  電解コンデンサ、１９ｂ，ｃ  リード、１９ｄ  安全防爆弁、２０  放電灯、２１  プリント基板。
【図１】
2011003311.tif 000003
【図２】
2011003311.tif 000004
【図３】
2011003311.tif 000005
【図４】
2011003311.tif 000006
【図５】
2011003311.tif 000007
【図６】
2011003311.tif 000008
【図７】
2011003311.tif 000009
【図８】
2011003311.tif 000010